(57)【要約】    【課題】  ケーシングの内部にフィルタエレメントを収容するフィルタカートリッジを対象とし、製造に関わるコストの不用意な増大を招来することなく、フィルタヘッドに対する取付け／取外しの作業性を向上させ得るフィルタカートリッジの提供を目的とする。    【解決手段】  ケーシングの外表面に、保護塗装膜の表面および内部に滑止め部材を混在させて成る滑止め部を形成している。  また、ケーシングの外表面に、塗装した滑止め塗料の塗膜によって滑止め部を形成している。    【選択図】  図３
2007117872.tif 000002
【特許請求の範囲】
【請求項１】
ケーシングの内部にフィルタエレメントを収容するフィルタカートリッジにおいて、
前記ケーシングの外表面に、保護塗装膜の表面および内部に滑止め部材を混在させて成る滑止め部を形成したことを特徴とするフィルタカートリッジ。
【請求項２】
前記滑止め部を、前記ケーシングにおける外表面の全面に形成したことを特徴とする請求項１記載のフィルタカートリッジ。
【請求項３】
前記滑止め部を、前記ケーシングにおける外表面の一部に形成したことを特徴とする請求項１記載のフィルタカートリッジ。
【請求項４】
前記滑止め部を、情報サインを含む形状に形成したことを特徴とする請求項１記載のフィルタカートリッジ。
【請求項５】
ケーシングの内部にフィルタエレメントを収容するフィルタカートリッジにおいて、
前記ケーシングの外表面に塗装した滑止め塗料の塗膜により、前記ケーシングの外表面に滑止め部を形成したことを特徴とするフィルタカートリッジ。
【発明の詳細な説明】
【技術分野】
【０００１】
本発明は、ケーシングの内部にフィルタエレメントを収容するフィルタカートリッジに関するものである。
【背景技術】
【０００２】
例えば、ダンプトラック等の作業車輌における燃料フィルタやオイルフィルタ等のフィルタ装置(フィルタアセンブリ)には、大きな処理能力(容積)を獲得し得るとともにフィルタエレメントの交換作業も容易である等の理由から、所謂スピンオン式のフィルタカートリッジを構成要素としたフィルタ装置(フィルタアセンブリ)が広く採用されている。
【０００３】
図１１および図１２に示す如く、例えばエンジンＥの側方にレイアウトされる、この種従来のフィルタ装置(フィルタアセンブリ)Ａは、エンジンＥに固定設置されたフィルタヘッドＨと、該フィルタヘッドＨに装着されたフィルタカートリッジＣとから構成されている。
【０００４】
上記フィルタカートリッジＣは、図１３に示すように上部が解放された有底円筒形状を成すケーシングＣｃの内部にフィルタエレメントＣｆを収容し、上記ケーシングＣｃの上部開口を蓋板Ｃｔによって閉塞することで構成されている。
【０００５】
また、上記フィルタカートリッジＣは、オペレータが手または工具によってケーシングＣｃの外周を掴んで旋回させ、口金Ｈｓに捩じ込むことでフィルタヘッドＨへの取付けがなされる一方、ケーシングＣｃの外周に装着した工具(図示せず)によって、装着時とは反対方向に旋回させることでフィルタヘッドＨからの取外しがなされる。
【０００６】
ここで、従来のフィルタカートリッジには、オペレータの手や工具等とケーシングとの滑りを抑えて、フィルタヘッドに対する取付け時／取外し時の作業性を向上させるべく、ケーシングの外周に滑止め部材を取付けたものが提供されている(例えば、特許文献１参照)。
【０００７】
すなわち、図１３に示したフィルタカートリッジＣにおいては、上部を蓋板Ｃｔで塞いだケーシングＣｃの外周に、ゴム材等の摩擦係数の大きな材料から成るリング状の滑止め部材Ｃｒを装着している。
【０００８】
さらに、従来のフィルタカートリッジには、オペレータの手や工具等とケーシングとの滑りを抑えて、フィルタヘッドに対する取付け時／取外し時の作業性を向上させるべく、ケーシングの外周に様々な突起を形成したものが提供されている(例えば、特許文献２および特許文献３)。
【０００９】
すなわち、図１４(ａ)に示したフィルタカートリッジＣにおいては、上部を蓋板Ｃｔで塞いだケーシングＣｃの外周に、軸方向(上下方向)に延在する多数の突条Ｃｌ、Ｃｌ…を、上記ケーシングＣｃの全周に亘って突出形成している。
【００１０】
また、図１４(ｂ)に示したフィルタカートリッジＣにおいては、上部を蓋板Ｃｔで塞いだケーシングＣｃの外周に、その全周に亘って多数の突起Ｃｅ、Ｃｅ…を突出形成しているとともに、工具を装着するための多角形の系合面Ｃｇ、Ｃｇ…を形成している。
【特許文献１】特開平９−２５８１１号公報
【特許文献２】実開昭５９−１５４３１３号公報
【特許文献３】実開平７−３５０７９号公報
【発明の開示】
【発明が解決しようとする課題】
【００１１】
ところで、図１３に示した如く、ケーシングＣｃの外周に滑止め部材Ｃｒを装着したフィルタカートリッジＣによれば、上記滑止め部材Ｃｒの働きによって取付け時／取外し時の作業性が大幅に向上するものの、徒らに部品点数が増加することと併せ、ケーシングＣｃに対する滑止め部材Ｃｒの取付工程を要するため、製造に関わるコストの不用意な増大を招いてしまう不都合があった。
【００１２】
また、図１４に示した如く、ケーシングＣｃの外周に滑止め用の突条Ｃｌや突起Ｃｅを形成したフィルタカートリッジＣによれば、これら突条Ｃｌや突起Ｃｅの働きによって取付け時／取外し時の作業性が大幅に向上するものの、ケーシングＣｃに板金加工を施して突条Ｃｌや突起Ｃｅを形成する必要から、製造工程の煩雑化に起因して、製造に関わるコストの不用意な増大を招いてしまう不都合があった。
【００１３】
本発明は、上記実状に鑑みて、製造に関わるコストの不用意な増大を招くことなく、フィルタヘッドに対する取付け／取外しの作業性を向上させる得る、フィルタカートリッジの提供を目的としている。
【課題を解決するための手段】
【００１４】
請求項１の発明に関わるフィルタカートリッジは、ケーシングの内部にフィルタエレメントを収容するフィルタカートリッジにおいて、ケーシングの外表面に、保護塗装膜の表面および内部に滑止め部材を混在させて成る滑止め部を形成したことを特徴としている。
【００１５】
請求項２の発明に関わるフィルタカートリッジは、請求項１の発明に関わるフィルタカートリッジにおいて、滑止め部をケーシングにおける外表面の全面に形成したことを特徴としている。
【００１６】
請求項３の発明に関わるフィルタカートリッジは、請求項１の発明に関わるフィルタカートリッジにおいて、滑止め部をケーシングにおける外表面の一部に形成したことを特徴としている。
【００１７】
請求項４の発明に関わるフィルタカートリッジは、請求項１の発明に関わるフィルタカートリッジにおいて、滑止め部を情報サインを含む形状に形成したことを特徴としている。
【００１８】
請求項５の発明に関わるフィルタカートリッジは、ケーシングの内部にフィルタエレメントを収容するフィルタカートリッジにおいて、ケーシングの外表面に塗装した滑止め塗料の塗膜により、ケーシングの外表面に滑止め部を形成したことを特徴としている。
【発明の効果】
【００１９】
請求項１の発明に関わるフィルタカートリッジによれば、ケーシングに別部材を取り付ける必要も、またケーシングに板金加工等を施す必要もなく、保護塗装膜の表面および内部に滑止め部材を混在させて成る滑止め部の働きによって、オペレータの手や工具等とケーシングとの滑りを抑えることができ、もって製造に関わるコストの不用意な増大を招くことなく、フィルタヘッドに対する取付け／取外しの作業性を向上させることが可能となる。
【００２０】
請求項２の発明に関わるフィルタカートリッジによれば、ケーシングにおける外表面の全面に形成した滑止め部の働きによって、オペレータの手や工具等とケーシングとの滑りを抑えることができ、もって製造に関わるコストの不用意な増大を招くことなく、フィルタヘッドに対する取付け／取外しの作業性を向上させることが可能となるとともに、滑止め部をケーシングにおける外表面の全面に形成したことにより、上記滑止め部を仕上げ塗装とすることで塗装工程が省略でき、もって製造に関わるコストを更に削減することが可能となる。
【００２１】
請求項３の発明に関わるフィルタカートリッジによれば、ケーシングにおける外表面の一部に形成した滑止め部の働きによって、オペレータの手や工具等とケーシングとの滑りを抑えることができ、もって製造に関わるコストの不用意な増大を招くことなく、フィルタヘッドに対する取付け／取外しの作業性を向上させることが可能となる。  
さらに、ケーシングにおける外表面の一部に滑止め部を形成したことで、直接に目視できない場所にフィルタカートリッジが設けられている場合でも、ケーシングの外表面との感触の相違によって滑止め部の位置を容易に確認することができる。
【００２２】
請求項４の発明に関わるフィルタカートリッジによれば、情報サインを含む形状に形成した滑止め部の働きによって、オペレータの手や工具等とケーシングとの滑りを抑えることができ、もって製造に関わるコストの不用意な増大を招くことなく、フィルタヘッドに対する取付け／取外しの作業性を向上させることが可能となるとともに、情報サインを含む形状に滑止め部を形成したことにより、文字等の情報サインが印字されたシール等を別途に用意する必要がなく、もって製造に関わるコストを更に削減することが可能となる。  
さらに、情報サインを含む形状に滑止め部を形成したことにより、直接に目視できない場所にフィルタカートリッジが設けられている場合でも、滑止め部における感触の相違によって該滑止滑止め部の位置を容易に確認することができる。
【００２３】
請求項５の発明に関わるフィルタカートリッジによれば、ケーシングに別部材を取り付ける必要も、またケーシングに板金加工等を施す必要もなく、滑止め塗料の塗膜から成る滑止め部の働きによって、オペレータの手や工具等とケーシングとの滑りを抑えることができ、もって製造に関わるコストの不用意な増大を招くことなく、フィルタヘッドに対する取付け／取外しの作業性を向上させることが可能となる。
【発明を実施するための最良の形態】
【００２４】
以下、本発明に関わるフィルタカートリッジの構成を、実施例を示す図面に基づいて詳細に説明する。  
図１〜図４は、作業車輌の１つであるダンプトラックのオイルフィルタ装置(フィルタアセンブリ)、詳しくは上記フィルタ装置の構成要素であるスピンオン式のフィルタカートリッジに、本発明を適用した第１実施例を示している。
【００２５】
図１に示す如く、上記ダンプトラック(図示せず)におけるエンジン１００の側方には、複数個(実施例では３個)のフィルタ装置１が配設されており、これらフィルタ装置１は、エンジン１００に固定設置されたフィルタヘッド１Ｈと、該フィルタヘッド１Ｈに装着されたフィルタカートリッジ１０とから構成されている。
【００２６】
上記フィルタカートリッジ１０は、図２に示す如く上部が解放された有底円筒形状を成すケーシング１１と、該ケーシング１１の内部に収容されたフィルタエレメント１２とを有し、上記フィルタエレメント１２を収容したケーシング１１の上部開口は、中央に口金１３ｓの形成された蓋板１３によって閉塞されている。
【００２７】
また、上記フィルタカートリッジ１０は、オペレータが手または工具によってケーシング１１の外周を掴んで図３中の矢印Ｓ方向へ旋回させ、口金１３ｓをフィルタヘッド１Ｈの口金(図示せず)と螺合させることで、上記フィルタヘッド１Ｈへの取付けがなされる一方、ケーシング１１の外周に装着した工具(図示せず)によって、装着時とは反対の図３中の矢印Ｒ方向に旋回させることで、上記フィルタヘッド１Ｈからの取外しがなされる。
【００２８】
ここで、図２および図３に明示するように、上記フィルタカートリッジ１０におけるケーシング１１の外表面１１ｓには、その一部、詳しくはケーシング１１の上下方向における上半域(ケーシング１１の上下寸法における約１／２の位置から上方の領域)に滑止め部１４が形成されている。
【００２９】
上記滑止め部１４は、所期の上下幅でケーシング１１の全周を巡る帯状を呈しており、ケーシング１１の外表面１１ｓに塗装した滑止め塗料の塗膜１４ｆ、すなわち図４に示す如く、保護塗装膜１４ｂの表面および内部にゴム粉や珪砂等の滑止め部材１４ｇを混在させたものである。
【００３０】
また、上記滑止め部１４の形成は、塗装前のケーシング１１における塗装面を洗浄し、上記ケーシング１１の全面に従前の方法で錆止め塗装および着色塗装を施したのち、マスキングして必要部分にのみ滑止め塗料を塗布する、あるいは塗装前のケーシング１１における塗装面を洗浄し、滑止め部１４の形成箇所をマスキングして従前の方法で錆止め塗装および着色塗装を施し、こののちマスキングして必要部分にのみ滑止め塗料を塗布することにより行われる。
【００３１】
なお、上記滑止め部１４は、ケーシング１１の外表面１１ｓにおいてフィルタカートリッジ１０の取付け時／取外し時にオペレータの手や工具が掛かる部位に形成して有効であることは言うまでもない。
【００３２】
ここで、上述した実施例においては、滑止め部１４を形成する滑止め塗料として、東京化学塗料(株)の「トーカリックＫＭコート３Ｓ」を使用しており、この製品は、ポリエステル樹脂にゴム粉および珪砂(シリカサンド)とともに溶剤、添加剤、顔料を混合した主剤と、ポリイソシアネート樹脂および溶剤を混合した硬化剤とを用いる２液式の滑止め塗料である。
【００３３】
なお、滑止め部１４を形成するための滑止め塗料が、上述した製品に限定されるものでないことは勿論であり、例えば主成分であるポリウレタン樹脂に珪砂(シリカサンド)を混合して成る１液式の滑止め塗料等、様々な成分から成る各種の滑止め塗料を任意に採用し得ることは言うまでもない。
【００３４】
上述したフィルタカートリッジ１０によれば、ケーシング１１の外表面１１ｓに、塗装した滑止め塗料の塗膜１４ｆで滑止め部１４を形成したことにより、ケーシング１１に別部材を取り付ける必要も、またケーシング１１に板金加工等を施す必要もなく、上述した滑止め部１４の働きによって、オペレータの手や工具等とケーシング１１との滑りを抑えることができ、もって製造に関わるコストの不用意な増大を招くことなく、フィルタヘッド１Ｈに対する取付け／取外しの作業性を向上させることが可能となる。
【００３５】
また、上述したフィルタカートリッジ１０によれば、滑止め部１４を構成する滑止め塗料の塗膜１４ｆが、保護塗装膜１４ｂの表面および内部にゴム粉や珪砂等の滑止め部材１４ｇを混在させたものであるため、使用に伴い工具と擦れる等によって保護塗装膜１４ｂが摩耗しても、内部の滑止め部材１４ｇが露出することによって常に大きな摩擦力が得られる。
【００３６】
図５は、本発明に関わるフィルタカートリッジの第２実施例を示しており、このフィルタカートリッジ２０におけるケーシング２１の外周面２１ｓには、その一部、詳しくはケーシング２１の上下方向における上半域(ケーシング２１の上下寸法における約１／２の位置から上方の領域)と下半域(ケーシング２１の上下寸法における約１／２の位置から下方の領域)とに、それぞれ滑止め部２４Ｕと滑止め部２４Ｌとが形成されている。
【００３７】
上記滑止め部２４Ｕおよび滑止め部２４Ｌは、ケーシング２１の外表面２１ｓに塗装した滑止め塗料の塗膜２４ｆによって形成されており、それぞれ所期の上下幅でケーシング２１の全周を巡る帯状を呈している。
【００３８】
図６は、本発明に関わるフィルタカートリッジの第３実施例を示しており、このフィルタカートリッジ３０におけるケーシング３１の外周面３１ｓには、その一部、詳しくはケーシング３１の上下方向における上半域(ケーシング３１の上下寸法における約１／２の位置から上方の領域)に滑止め部３４が形成されている。
【００３９】
上記滑止め部３４は、上下方向に延びる計４本のライン３４Ｂをケーシング３１の全周を巡る態様で配列して成り、個々のライン３４Ｂはケーシング３１の外表面３１ｓに塗装した滑止め塗料の塗膜３４ｆによって形成されている。
【００４０】
ここで、上記滑止め部３４における４本のライン３４Ｂを、カートリッジ着脱時における目安として利用し、フィルタヘッド(図１中の符号１Ｈ参照)等に設けたマークに上記ライン３４Ｂを合わせ、フィルタカートリッジ３０を所定の回転動作、例えば「３／４回転まで旋回させる」等を予め定めておくことで、フィルタヘッドに対するフィルタカートリッジ３０の確実な取付けができる。
【００４１】
上述した第２実施例のフィルタカートリッジ２０、および第３実施例のフィルタカートリッジ３０においても、上述した第１実施例のフィルタカートリッジ１０と同様、製造に関わるコストの不用意な増大を招くことなく、フィルタヘッド１Ｈに対する取付け／取外しの作業性を向上させることが可能となる。
【００４２】
なお、第２実施例のフィルタカートリッジ２０において、帯状を呈する滑止め部の上下幅、形成位置および形成個数等は、図４に示した実施例に限定されることなく任意に適宜に設定し得ることは勿論である。
【００４３】
また、第３実施例のフィルタカートリッジ３０において、縦長のライン３４Ｂの上下長、左右幅、形成位置および形成個数等は、図５に示した実施例に限定されることなく任意に適宜に設定し得ることは勿論である。
【００４４】
図７は、本発明に関わるフィルタカートリッジの第４実施例を示しており、このフィルタカートリッジ４０におけるケーシング４１の外周面４１ｓには、その全面に滑止め部４４が形成されている。
【００４５】
上記滑止め部４４は、ケーシング４１の外表面４１ｓに塗装した滑止め塗料の塗膜４４ｆによって形成されており、上記外表面４１ｓにおける全ての範囲を覆っている。
【００４６】
上述した第４実施例のフィルタカートリッジ４０においても、上述した第１実施例のフィルタカートリッジ１０と同様、製造に関わるコストの不用意な増大を招くことなく、フィルタヘッド１Ｈに対する取付け／取外しの作業性を向上させることが可能となる。
【００４７】
さらに、上述した第４実施例のフィルタカートリッジ４０によれば、滑止め部４４をケーシング４１における外表面４１ｓの全面に形成したこと、言い換えれば滑止め塗料をケーシング４１における外表面４１ｓの全面に塗装していることから、上記滑止め部(滑止め塗料)４４によってケーシング４１の外表面４１ｓを保護する塗装(外観塗装／仕上塗装)とすることで塗装の工程を簡略化でき、もって製造に関わるコストを更に削減することが可能となる。
【００４８】
図８は、本発明に関わるフィルタカートリッジの第５実施例を示しており、このフィルタカートリッジ５０におけるケーシング５１の外周面５１ｓには、該ケーシング５１の上下方向における上半域(ケーシング５１の上下寸法における約１／２の位置から上方の領域)に滑止め部５４が形成されている。
【００４９】
上記滑止め部５４は、ケーシング５１の全周を巡る帯状部５４Ａに、取付け時の旋回方向を示す矢印５４ａと、取外し時の旋回方向を示す矢印５４ｂとを、それぞれ反転(ネガ)像によって形成するとともに、上記矢印５４ａの指示内容を示す「ＳＥＴ」の文字５４ｓ、および上記矢印５４ｂの指示内容を示す「ＲＥＭＯＶＥ」の文字５４ｒを有し、上記帯状部５４Ａおよび文字５４ｓ、５４ｒは、ケーシング５１の外表面５１ｓに塗装した滑止め塗料の塗膜５４ｆによって形成されている。
【００５０】
すなわち、上記滑止め部５４は、矢印５４ａおよび矢印５４ｂの図形による情報、さらに文字５４ｓおよび文字５４ｒの文字による情報等、様々な情報サインを含んだ形状に形成されている。
【００５１】
図９は、本発明に関わるフィルタカートリッジの第６実施例を示しており、このフィルタカートリッジ６０におけるケーシング６１の外周面６１ｓには、該ケーシング６１の上下方向における上半域(ケーシング６１の上下寸法における約１／２の位置から上方の領域)域に滑止め部６４が形成されている。
【００５２】
上記滑止め部６４は、取付け時の旋回方向を示す矢印６４ａ、取外し時の旋回方向を示す矢印６４ｂ、矢印６４ａの指示内容を示す「ＳＥＴ」の文字６４ｓ、および矢印６４ｂの指示内容を示す「ＲＥＭＯＶＥ」の文字６４ｒを有し、これら矢印６４ａ、矢印６４ｂ、文字６４ｓおよび文字６４ｒは、ケーシング６１の外表面６１ｓに塗装した滑止め塗料の塗膜６４ｆによって形成されている。
【００５３】
すなわち、上記滑止め部６４は、矢印６４ａおよび矢印６４ｂの図形による情報、さらに文字６４ｓおよび文字６４ｒの文字による情報等、様々な情報サインを含んだ形状に形成されている。
【００５４】
上述した第５実施例のフィルタカートリッジ５０、および第６実施例のフィルタカートリッジ６０においても、上述した第１実施例のフィルタカートリッジ１０と同様、製造に関わるコストの不用意な増大を招くことなく、フィルタヘッド１Ｈに対する取付け／取外しの作業性を向上させることが可能となる。
【００５５】
さらに、上述した第５実施例のフィルタカートリッジ５０、および第６実施例のフィルタカートリッジ６０によれば、情報サインを含んだ形状に滑止め部５４および滑止め部６４を形成したことにより、言い換えれば滑止め部５４および滑止め部６４にオペレータへ情報を伝達する機能を持たせたことで、ケーシング５１、６１の外表面５１ｓ、６１ｓに情報サインを印字したり、あるいは別途に用意された情報サインを印字したシールを貼る等の作業を省略でき、もって製造に関わるコストを更に削減することが可能となる。
【００５６】
因みに、第５実施例のフィルタカートリッジ５０における滑止め部５４、および第６実施例のフィルタカートリッジ６０における滑止め部６４に含まれる情報サインは、図８および図９に示した実施例に限定されるものではなく、例えば図１０に示す如く、フィルタカートリッジにおける名称ａや品番ｂ、メーカー名(ロゴマーク)ｃ、取扱い方法を教唆する絵文字ｄ、さらには着脱作業の目印となるマークｅ等、様々な情報を含んだ形状と成し得ることは言うまでもない。
【００５７】
なお、上述した各実施例においては、本発明をスピンオン式のフィルタカートリッジに適用しているが、フィルタヘッドに装着されてフィルタアセンブリを構成するフィルタカートリッジであれば、スピンオン式以外の種々の装着方法を採用したフィルタカートリッジにおいても、本発明を有効に適用することが可能である。
【００５８】
また、上述した各実施例においては、本発明をダンプトラックのオイルフィルタ装置に適用しているが、燃料フィルタ装置のフィルタカートリッジ、さらには様々な流体を対象とするフィルタ装置のフィルタカートリッジにも、本発明を有効に適用し得ることは言うまでもない。
【００５９】
さらに、上述した各実施例においては、本発明をダンプトラックのフィルタ装置に適用しているが、ダンプトラック以外の様々な作業車両は元より、作業車両以外の各種車両、さらには車両以外の様々な装置や機器におけるフィルタ装置にも、本発明を極めて有効に適用し得ることは勿論である。
【図面の簡単な説明】
【００６０】
【図１】本発明に関わるフィルタカートリッジを採用したフィルタアセンブリの設置態様を示す概念図。
【図２】(ａ)および(ｂ)は、本発明に関わるフィルタカートリッジの第１実施例を示す平面図および側面半断面図。
【図３】(ａ)および(ｂ)は、図２に示したフィルタカートリッジの外観側面図および周方向展開図。
【図４】図２に示したフィルタカートリッジにおける滑止め部の要部断面図。
【図５】本発明に関わるフィルタカートリッジの第２実施例を示す外観側面図。
【図６】(ａ)および(ｂ)は、本発明に関わるフィルタカートリッジの第３実施例を示す外観側面図および周方向展開図。
【図７】本発明に関わるフィルタカートリッジの第４実施例を塗膜の一部を剥がして示す外観側面図。
【図８】(ａ)および(ｂ)は、本発明に関わるフィルタカートリッジの第５実施例を示す外観側面図および周方向展開図。
【図９】(ａ)および(ｂ)は、本発明に関わるフィルタカートリッジの第６実施例を示す外観側面図および周方向展開図。
【図１０】滑止め部における情報サインの他の例を示すフィルタカートリッジの周方向展開図。
【図１１】従来のフィルタアセンブリを示す概念的な側面図。
【図１２】図１１に示したフィルタアセンブリの要部断面側面図。
【図１３】従来のフィルタカートリッジの一例を示す外観斜視図。
【図１４】(ａ)および(ｂ)は、従来のフィルタカートリッジにおける他の例を示す外観側面図。
【符号の説明】
【００６１】
１…フィルタ装置(フィルタアセンブリ)、
１Ｈ…フィルタヘッド、
１０、２０、３０、４０、５０、６０…フィルタカートリッジ、
１１、２１、３１、４１、５１、６１…ケーシング、
１１ｓ、２１ｓ、３１ｓ、４１ｓ、５１ｓ、６１ｓ…外表面、
１２…フィルタエレメント、
１４、２４、３４、４４、５４、６４…滑止め部、
１４ｆ、２４ｆ、３４ｆ、４４ｆ、５４ｆ、６４ｆ…塗膜。
【図１】
2007117872.tif 000003
【図２】
2007117872.tif 000004
【図３】
2007117872.tif 000005
【図４】
2007117872.tif 000006
【図５】
2007117872.tif 000007
【図６】
2007117872.tif 000008
【図７】
2007117872.tif 000009
【図８】
2007117872.tif 000010
【図９】
2007117872.tif 000011
【図１０】
2007117872.tif 000012
【図１１】
2007117872.tif 000013
【図１２】
2007117872.tif 000014
【図１３】
2007117872.tif 000015
【図１４】
2007117872.tif 000016